(57)【要約】【課題】プルダウン情報に対するシーケンスを保持しつつ適切なプルダウン情報の出力を行うことが可能な映像信号変換装置を提供する。【解決手段】映像信号変換装置１００は、入力端子１０１、出力端子１０５、ビデオＩＤ信号検出装置１０２、プルダウン情報補正装置１０３およびＩＰ変換装置１０４を含む。ビデオＩＤ信号検出装置１０２は、映像信号ＶＳよりビデオＩＤ信号ＶＩＤを検出し、検出したビデオＩＤ信号ＶＩＤを出力端子３０９を介してプルダウン情報補正装置１０３へ出力する。プルダウン情報補正装置１０３は、与えられたビデオＩＤ信号ＶＩＤに基づき、プルダウン情報判別信号１０Ｃおよびプルダウン情報補正信号１０Ｂを作成し、ＩＰ変換装置１０４へ出力する。【選択図】　　　　図１
2004007290.tif 000002
【特許請求の範囲】
【請求項１】
複数のフレームから生成された複数のフィールドにより構成されるインターレース方式の映像信号に含まれる映像識別信号を処理する映像識別信号処理装置であって、
入力されている前記インターレース方式の映像信号から前記映像識別信号を検出する映像識別信号検出装置と、
前記映像識別信号検出装置により検出された前記映像識別信号から現フィールドがどのフレームから生成されたかを示すプルダウン情報を抽出し、前記プルダウン情報間に別の情報が存在するか否かにかかわらず抽出した前記プルダウン情報のシーケンスを保持しつつ前記プルダウン情報を出力するとともに、現在入力されている前記映像識別信号が前記プルダウン情報か否かを示すプルダウン情報識別信号を出力するプルダウン情報補正装置とを備えたことを特徴とした映像識別信号処理装置。
【請求項２】
複数のフレームから生成された複数のフィールドにより構成されるインターレース方式の映像信号をプログレッシブ方式の映像信号に変換する映像信号変換装置であって、
入力されている前記インターレース方式の映像信号から映像識別信号を検出する映像識別信号検出装置と、
前記映像識別信号検出装置により検出された前記映像識別信号から現フィールドがどのフレームから生成されたかを示すプルダウン情報を抽出し、前記プルダウン情報間に別の情報が存在するか否かにかかわらず抽出した前記プルダウン情報のシーケンスを保持しつつ前記プルダウン情報を出力するとともに、現在入力されている前記映像識別信号が前記プルダウン情報か否かを示すプルダウン情報識別信号を出力するプルダウン情報補正装置と、
前記プルダウン情報補正装置から出力される前記プルダウン情報および前記プルダウン情報識別信号に基づいて走査線補間を行うことにより、入力されている前記インターレース方式の映像信号を前記プログレッシブ方式の映像信号に変換するインターレース−プログレッシブ変換装置とを備えたことを特徴とした映像信号変換装置。
【請求項３】
前記プルダウン情報補正装置は、
前記映像識別信号検出装置により検出された前記映像識別信号が前記プルダウン情報を有するか否かを識別し、その識別結果を出力するとともに、前記映像識別信号が前記プルダウン情報を有する場合に前記プルダウン情報を出力するプルダウン情報識別装置と、
前記プルダウン情報識別装置から出力される所定数のフィールド分の前記識別結果を累積的に計数し、計数結果を設定値と比較し、その比較結果を出力するプルダウン情報累積比較装置と、
前記プルダウン情報累積比較装置から出力された前記プルダウン情報を蓄積し、所定数のフィールド分の前記プルダウン情報をプルダウン情報パターンとして出力するプルダウン情報パターン発生装置と、
前記プルダウン情報パターン発生装置から出力された前記プルダウン情報パターンが第１のフレーム周波数に対応する第１のプルダウン情報パターンまたは第２のフレーム周波数に対応する第２のプルダウン情報パターンと整合するか否かを判定し、判定結果が不整合となって回数を計数し、前記第１のプルダウン情報パターンに対する計数値および前記第２のプルダウン情報パターンに対する計数値をそれぞれ第１および第２の不整合計数値として出力するパターン整合装置と、
前記パターン整合装置から出力される前記第１および第２の不整合計数値を所定の設定値と比較することにより、入力されている前記映像信号のフレーム周波数が前記第１の周波数であるか前記第２の周波数であるかを判別するプルダウン情報判別装置と、
第１のリセットパルスによりリセットされ、第１のフレーム周波数に対応するプルダウン情報パターンのパルス列を第１のパルス列として出力する第１のパルス発生装置と、
第２のリセットパルスによりリセットされ、第２のフレーム周波数に対応するプルダウン情報パターンのパルス列を第２のパルス列として出力する第２のパルス発生装置と、
前記映像識別信号検出装置により検出された前記映像識別信号から前記プルダウン情報を抽出し、抽出した前記プルダウン情報の位相を前記第１のパルス発生装置から出力される第１のパルス列の位相および前記第２のパルス発生装置から出力される第２のパルス列の位相と比較し、前記第１のパルス列の位相と一致した場合に前記第１のパルス発生装置に前記第１のリセットパルスを与え、前記第２のパルス列の位相と一致した場合に前記第２のパルス発生装置に前記第２のリセットパルスを与える位相比較装置と、
前記プルダウン情報判別装置の判別結果に基づいて前記第１のパルス発生装置から出力される前記第１のパルス列または前記第２のパルス発生装置から出力される前記第２のパルス列を選択的に出力する切り替え装置とを備えたことを特徴とした請求項２記載の映像信号変換装置。
【発明の詳細な説明】
【０００１】
【発明の属する技術分野】
本発明は、入力された映像信号を所望の映像信号に変換するためのプルダウン情報を処理する映像識別信号処理装置および映像信号変換装置に関する。
【０００２】
【従来の技術】
近年、テレビジョン受像機の分野においては、ちらつきの少ない映像表示を得るために、入力されるインターレース方式の映像信号をプログレッシブ方式の映像信号に変換する映像信号変換装置を備えたテレビジョン受像機が案出されている。
【０００３】
インターレース方式の映像信号からプログレッシブ方式の映像信号への変換またはプログレッシブ方式の映像信号からインターレース方式の映像信号への変換（以下、ＩＰ変換と略記する。）に関しては、様々な変換方式が提案されているが、いずれの方式についても動画における走査線補間時に誤動作を伴なう。
【０００４】
ところで、ＥＩＡＪ（日本電子工業学会）は、上記に示すＩＰ変換において、プログレッシブ方式の映像信号をインターレース方式の映像信号に変換する場合に誤動作が発生しないように垂直ブランキング期間を利用したビデオ識別信号（以下、ビデオＩＤ信号と略記する。）の一部に特定の信号を挿入することを規格として制定している。以下に、ビデオＩＤ信号の規格について、図８に基づき説明する。
【０００５】
図８は、ＥＩＡＪの規格に対応するビデオＩＤ信号の構成を示す模式図である。
【０００６】
図８によれば、ビデオＩＤ信号ＶＩＤは、水平同期信号Ｈおよびカラーバースト信号ＣＢに続けてリファリンス信号ＲＥおよび識別情報ＩＮを含む。また、識別情報ＩＮは２０ビットＢ１〜Ｂ２０を含む。なお、図８に示すようにリファリンス信号ＲＥおよび識別情報ＩＮは、ＮＲＺ（　Ｎｏｎ　Ｒｅｔｕｒｎ　ｔｏ　Ｚｅｒｏ）波形を有する。
【０００７】
次に、図９に基づき、上述の識別情報ＩＮについて説明する。図９は、図８に示す識別情報ＩＮの詳細を示す模式図である。
【０００８】
図９によれば、識別情報ＩＮは、２ビットＢ１，Ｂ２からなる伝送形式識別情報ＷＯＲＤ０、４ビットＢ３〜Ｂ６からなるヘッダ情報ＷＯＲＤ１、８ビットＢ７〜Ｂ１４からなるデータ情報ＷＯＲＤ２および６ビットＢ１５〜Ｂ２０からなる誤り訂正情報ＣＲＣＣにより形成されている。
【０００９】
ここで、伝送形式識別情報ＷＯＲＤ０は映像信号の伝送形式を識別するための情報であり、ヘッダ情報ＷＯＲＤ１は後述のデータ情報ＷＯＲＤ２の内容を指定するものである。また、データ情報ＷＯＲＤ２はヘッダ情報ＷＯＲＤ１により指定された内容を有し、誤り訂正情報ＣＲＣＣは上述の各種情報の誤りを訂正するためにＣＲＣ（巡回）符号により形成された情報である。
【００１０】
上記に示すＥＩＡＪの規格において、識別情報ＩＮは、ＩＰ変換時の誤動作を抑止するデータ情報ＷＯＲＤ２を含む場合、ビットＢ３〜Ｂ６の順に「０１１０」からなるヘッダ情報ＷＯＲＤ１を有する。この場合のデータ情報ＷＯＲＤ２には、ＩＰ変換時の誤動作を抑止する情報（プルダウン情報）を示すビットＢ８が含まれる。
【００１１】
プルダウン情報によれば、２４フィルムコマの映画または３０フィルムコマのコマーシャルの映像信号から得られるインターレース方式の映像信号を６０フィールドからなるプログレッシブ方式の映像信号に変換する場合、各フィールドに順次変換されるフィルムコマが同一か否かを判別することが可能となる。
【００１２】
ここで、２４フィルムコマの映画または３０フィルムコマのコマーシャルの映像信号から得られるインターレース方式の映像信号をプログレッシブ方式の映像信号に変換する場合の映像信号の変換方法およびプルダウン情報について図１０に基づき説明する。
【００１３】
図１０は、２４フィルムコマの映画および３０フィルムコマのコマーシャルの映像信号から得られるインターレース方式の映像信号をプログレッシブ方式の映像信号に変換する場合の映像信号の変換方法およびプルダウン情報を示す概念図である。
【００１４】
毎秒２４フィルムコマからなる映画の映像信号を毎秒６０フィールドからなるインターレース方式の映像信号に変換する（以下、テレシネと呼ぶ。）場合、例えば２−３プルダウンという変換方式が用いられる。２−３プルダウンによれば、２フィルムコマの映画の信号が、５フィールドのインターレース方式の映像信号に変換される。
【００１５】
図１０（ａ）は、２−３プルダウンにより毎秒２４フィルムコマの映像信号から得られるインターレース方式の映像信号を毎秒６０フィールドからなるプログレッシブ方式の映像信号に変換する場合の映像信号の変換方法およびプルダウン情報を示す概念図である。
【００１６】
図１０（ａ）によれば、映画の映像信号の１コマ目にあたるフィルムコマＡの映像信号は、フィールドＡ１のインターレース方式の映像信号に変換され、さらに、フィールドＡ２のインターレース方式の映像信号に変換されている。
【００１７】
映画の映像信号の２コマ目にあたるフィルムコマＢの映像信号は、初めにフィールドＢ１のインターレース方式の映像信号に変換され、次に、フィールドＢ２のインターレース方式の映像信号に変換され、再び、フィールドＢ１のインターレース方式の映像信号に変換されている。
【００１８】
以上に示すように、２−３プルダウンによれば、１つのフィルムコマから２つのフィールドへの変換動作と１つのフィルムコマから３つのフィールドへの変換動作とが繰り返される。
【００１９】
ところで、図１０（ａ）によれば、インターレース方式の映像信号をプログレッシブ方式の映像信号に変換するために各フィールド間における走査線補間が示されている。
【００２０】
図１０（ａ）において、破線で示される各フィールドｆｉには、フィルムコマより変換された走査線ｓｌが一本おきに並んでいる。また、一のフィールドｆｉと隣接する他のフィールドｆｉにおいて、フィルムコマより変換された走査線ｓｌは、一のフィールドｆｉにおいて変換された走査線ｓｌの位置と１本分ずれた場所に位置している。これにより、インターレース方式の映像信号をプログレッシブ方式の映像信号に変換するために一のフィールドにおいて、同一のフィルムコマより変換された隣接する他のフィールドに存在する走査線ｓｌにより走査線補間ｆｎが行われている。
【００２１】
図１０（ａ）によれば、フィルムコマＡから変換されたフィールドＡ１，Ａ２間で互いに走査線補間ｆｎがなされ、フィルムコマＢから変換されたフィールドＢ１，Ｂ２間で互いに走査線補間ｆｎがなされている。
【００２２】
上記に示す各フィールド間の走査線補間動作は、ＩＰ変換時の誤動作を抑止する情報であるプルダウン情報に基づき行われる。
【００２３】
図１０（ａ）によれば、各フィールドに対するプルダウン情報は、前のフィールドと同じフィルムコマから生成されたフィールドに対し「１」が、前のフィールドと異なるフィルムコマから生成されたフィールドに対し「０」が割当てられている。これにより、２−３プルダウンによるテレシネが行われる場合、プルダウン情報がフィールドごとに「０１０１１」の順で割り当てられる。
【００２４】
３０フィルムコマのコマーシャルの映像信号から得られるインターレース方式の映像信号をプログレッシブ方式の映像信号に変換する場合、１フィルムコマのコマーシャルの映像信号は２フィールドのプログレッシブ方式の映像信号に変換される。
【００２５】
図１０（ｂ）は、毎秒３０フィルムコマの映像信号から得られるインターレース方式の映像信号を毎秒６０フィールドからなるプログレッシブ方式の映像信号に変換する場合の映像信号の変換方法およびプルダウン情報を示す概念図である。
【００２６】
図１０（ｂ）によれば、映画の映像信号の１コマ目にあたるフィルムコマＡの映像信号は、フィールドＡ１のインターレース方式の映像信号に変換され、さらに、フィールドＡ２のインターレース方式の映像信号に変換されている。そして、このような１つのフィルムコマから２つのフィールドへの変換動作が、各フィルムコマについて繰り返されている。
【００２７】
ところで、図１０（ｂ）によれば、上記に示す図１０（ａ）と同様にインターレース方式の映像信号をプログレッシブ方式の映像信号に変換するために各フィールド間における走査線補間が示されている。
【００２８】
図１０（ｂ）においても、図１０（ａ）と同様に一のフィールドｆｉと隣接する他のフィールドｆｉにおいて、フィルムコマより変換された走査線ｓｌは、一のフィールドｆｉにおいて変換された走査線ｓｌの位置と１本分ずれた場所に位置している。これにより、インターレース方式の映像信号をプログレッシブ方式の映像信号に変換するために一のフィールドにおいて、同一のフィルムコマより変換された隣接する他のフィールドに存在する走査線ｓｌにより走査線補間ｆｎが行われている。
【００２９】
図１０（ｂ）によれば、フィルムコマＡから変換されたフィールドＡ１，Ａ２間で互いに走査線補間ｆｎがなされ、フィルムコマＢから変換されたフィールドＢ１，Ｂ２間で互いに走査線補間ｆｎがなされている。
【００３０】
この場合の走査線補間動作は、フィールドごとに「０１」の順で割り当てられたプルダウン情報に基づき行われる。
【００３１】
順次走査（プログレッシブ）テレビジョンにおいて、２４フィルムコマの映画または３０フィルムコマのコマーシャルの映像信号から得られるインターレース方式の映像信号をプログレッシブ方式の映像信号に変換する場合、上述のような「各フィールドに順次変換されるフィルムコマが同一か否か」というプルダウン情報があると、走査線補間を適切に行うことができ品位が向上する。
【００３２】
なお、以上に示す映像信号変換装置に入力されるビデオＩＤ信号には必ずしもプルダウン情報が含まれているとは限らず、別の情報が挟まれることがあるので、受信側の機器はその別の情報が挟まれる区間においても後述のシーケンスを保つよう配慮する必要がある。
【００３３】
上記におけるシーケンスとは、プルダウン情報が「０１０１１」の繰り返しで送信された場合に図１０（ａ）に示す２４フィルムコマから６０フィールドへの映像信号の変換を行い、プルダウン情報が「０１」の繰り返しで送信された場合に図１０（ｂ）に示す３０フィルムコマから６０フィールドへの映像信号の変換を行うということを表している。
【００３４】
ところで、ビデオＩＤ信号の検出装置には、例えば、特開平８−３３１５２８号に記載されている信号判別装置９０が挙げられる。
【００３５】
図１１は、従来におけるビデオＩＤ信号を検出可能な信号判別装置９０の構成を示すブロック図である。
【００３６】
信号判別装置１は、スライサ９２０およびコントロール用のマイクロコンピュータ（以下、コントロールマイコンと呼ぶ）９３０により構成されている。
【００３７】
スライサ９２０は、入力される映像信号ＶＪに対し、垂直ブランキング期間内の所定の水平ライン位置に重畳されているＥＤＴＶ２（ワイドクリアビジョン）の識別制御信号またはビデオＩＤ信号について所定のサンプリング周波数でサンプリングを行うとともに、サンプリングデータを所定のスライスレベルと比較してスライスデータ信号ｄｓとしてデコードするデコーダである。
【００３８】
コントロールマイコン９３０は、ＥＤＴＶ２の識別制御信号またはビデオＩＤ信号が重畳されている水平ライン位置、スライスレベルおよびサンプリング周波数等の設定データ信号ｄｃをスライサ９２０へ出力する。そして、スライサ９２０は、入力される設定データ信号ｄｃに基づきスライスデータ信号ｄｓをコントロールマイコン９３０へ出力する。
【００３９】
ここで、コントロールマイコン９３０に内蔵されている判定カウンタ９３０ａ、９３０ｂは、ヒステリシス特性をもたせてスライサ９２０より入力される検出信号をカウントすることにより、ＥＤＴＶ２の識別制御信号またはビデオＩＤ信号の判別を行う。ここで、判定カウンタ９３０ａ、９３０ｂは４ビットカウンタであるものとする。
【００４０】
【発明が解決しようとする課題】
しかしながら、上記のような構成では次のような問題点が挙げられる。
【００４１】
ＩＰ変換時の誤動作を抑止するデータ情報ＷＯＲＤ２のビットＢ８が示すプルダウン情報は、「０１１０」のヘッダ情報ＷＯＲＤ１が送信されてきた場合のみ有効である。このように、ヘッダ情報ＷＯＲＤ１が「０１１０」でない場合、データ情報ＷＯＲＤ２におけるビットＢ８は全く別の意味を有するものとなる。
【００４２】
例えば、送信側が「００１１」のヘッダ情報ＷＯＲＤ１を送信した場合、データ情報ＷＯＲＤ２はソフトの長さ、残り時間を示すものとなる。この場合、ＩＰ変換時の誤動作を抑止するデータ情報ＷＯＲＤ２のビットＢ８が示すプルダウン情報は、本来の役割を果たさず適切なＩＰ変換が行われない。つまり、この場合上述の「別の情報が挟まれる事があるので、受信側の機器はその別の情報が挟まれる区間においても後述のシーケンスを保つよう配慮する。」ことが、不可能である。
【００４３】
本発明の目的は、プルダウン情報に対するシーケンスを保持しつつ適切なプルダウン情報の出力を行うことが可能な映像識別信号処理装置を提供することである。
【００４４】
本発明の他の目的は、プルダウン情報に対するシーケンスを保持しつつ適切なＩＰ変換を行うことが可能な映像信号変換装置を提供することである。
【００４５】
【課題を解決するための手段】
本発明に係る映像識別信号処理装置は、複数のフレームから生成された複数のフィールドにより構成されるインターレース方式の映像信号に含まれる映像識別信号を処理する映像識別信号処理装置であって、入力されているインターレース方式の映像信号から映像識別信号を検出する映像識別信号検出装置と、映像識別信号検出装置により検出された映像識別信号から現フィールドがどのフレームから生成されたかを示すプルダウン情報を抽出し、プルダウン情報間に別の情報が存在するか否かにかかわらず抽出したプルダウン情報のシーケンスを保持しつつプルダウン情報を出力するとともに、現在入力されている映像識別信号がプルダウン情報か否かを示すプルダウン情報識別信号を出力するプルダウン情報補正装置とを備えたものである。
【００４６】
本発明に係る映像識別信号処理装置においては、映像識別信号検出装置によりインターレース方式の映像信号から映像識別信号が検出され、プルダウン情報補正装置により、映像識別信号から現フィールドがどのフレームから生成されたかを示すプルダウン情報が抽出され、プルダウン情報間に別の情報が存在するか否かにかかわらず抽出されたプルダウン情報のシーケンスを保持しつつプルダウン情報が出力され、現在入力されている映像識別信号がプルダウン情報か否かを示すプルダウン情報識別信号が出力される。
【００４７】
本発明に係る映像識別信号処理装置によれば、入力される映像信号に含まれる映像識別信号がプルダウン情報以外の情報を有する場合であっても、プルダウン情報に対するシーケンスを保持できるので、誤りのないプルダウン情報を途切れることなく得ることができる。
【００４８】
本発明に係る映像信号変換装置は、複数のフレームから生成された複数のフィールドにより構成されるインターレース方式の映像信号をプログレッシブ方式の映像信号に変換する映像信号変換装置であって、入力されているインターレース方式の映像信号から映像識別信号を検出する映像識別信号検出装置と、映像識別信号検出装置により検出された映像識別信号から現フィールドがどのフレームから生成されたかを示すプルダウン情報を抽出し、プルダウン情報間に別の情報が存在するか否かにかかわらず抽出したプルダウン情報のシーケンスを保持しつつプルダウン情報を出力するとともに、現在入力されている映像識別信号がプルダウン情報か否かを示すプルダウン情報識別信号を出力するプルダウン情報補正装置と、プルダウン情報補正装置から出力されるプルダウン情報およびプルダウン情報識別信号に基づいて走査線補間を行うことにより、入力されているインターレース方式の映像信号をプログレッシブ方式の映像信号に変換するインターレース−プログレッシブ変換装置とを備えたものである。
【００４９】
本発明に係る映像信号変換装置においては、映像識別信号検出装置によりインターレース方式の映像信号から映像識別信号が検出され、プルダウン情報補正装置により、映像識別信号から現フィールドがどのフレームから生成されたかを示すプルダウン情報が抽出され、プルダウン情報間に別の情報が存在するか否かにかかわらず抽出されたプルダウン情報のシーケンスを保持しつつプルダウン情報が出力され、現在入力されている映像識別信号がプルダウン情報か否かを示すプルダウン情報識別信号が出力され、インターレース−プログレッシブ変換装置により、プルダウン情報およびプルダウン情報識別信号に基づく走査線補間が行われ、インターレース方式の映像信号がプログレッシブ方式の映像信号に変換される。
【００５０】
本発明に係る映像信号変換装置によれば、入力される映像信号に含まれる映像識別信号がプルダウン情報以外の情報を有する場合であっても、プルダウン情報に対するシーケンスを保持できるので、誤りのないプルダウン情報を途切れることなく得ることができる。そして、インターレース−プログレッシブ変換装置においては、常に適切なプルダウン情報が入力されるので、インターレース−プログレッシブ変換時における誤動作が低減される。
【００５１】
プルダウン情報補正装置は、映像識別信号検出装置により検出された映像識別信号がプルダウン情報を有するか否かを識別し、その識別結果を出力するとともに、映像識別信号がプルダウン情報を有する場合にプルダウン情報を出力するプルダウン情報識別装置と、プルダウン情報識別装置から出力される所定数のフィールド分の識別結果を累積的に計数し、計数結果を設定値と比較し、その比較結果を出力するプルダウン情報累積比較装置と、プルダウン情報累積比較装置から出力されたプルダウン情報を蓄積し、所定数のフィールド分のプルダウン情報をプルダウン情報パターンとして出力するプルダウン情報パターン発生装置と、プルダウン情報パターン発生装置から出力されたプルダウン情報パターンが第１のフレーム周波数に対応する第１のプルダウン情報パターンまたは第２のフレーム周波数に対応する第２のプルダウン情報パターンと整合するか否かを判定し、判定結果が不整合となった回数を計数し、第１のプルダウン情報パターンに対する計数値および第２のプルダウン情報パターンに対する計数値をそれぞれ第１および第２の不整合計数値として出力するパターン整合装置と、パターン整合装置から出力される第１および第２の不整合計数値を所定の設定値と比較することにより、入力されている映像信号のフレーム周波数が第１の周波数であるか第２の周波数であるかを判別するプルダウン情報判別装置と、第１のリセットパルスによりリセットされ、第１のフレーム周波数に対応するプルダウン情報パターンのパルス列を第１のパルス列として出力する第１のパルス発生装置と、第２のリセットパルスによりリセットされ、第２のフレーム周波数に対応するプルダウン情報パターンのパルス列を第２のパルス列として出力する第２のパルス発生装置と、映像識別信号検出装置により検出された映像識別信号からプルダウン情報を抽出し、抽出したプルダウン情報の位相を第１のパルス発生装置から出力される第１のパルス列の位相および第２のパルス発生装置から出力される第２のパルス列の位相と比較し、第１のパルス列の位相と一致した場合に第１のパルス発生装置に第１のリセットパルスを与え、第２のパルス列の位相と一致した場合に第２のパルス発生装置に第２のリセットパルスを与える位相比較装置と、プルダウン情報判別装置の判別結果に基づいて第１のパルス発生装置から出力される第１のパルス列または第２のパルス発生装置から出力される第２のパルス列を選択的に出力する切り替え装置とを備えてもよい。
【００５２】
この場合、プルダウン情報識別装置により、映像識別信号がプルダウン情報を有するか否かが識別され、識別結果が出力され、映像識別信号がプルダウン情報を有する場合にプルダウン情報が出力される。そして、プルダウン情報累積比較装置により、プルダウン情報識別装置から出力される所定数のフィールド分の識別結果が累積的に計数され、計数結果が設定値と比較され、さらに、その比較結果が出力される。また、プルダウン情報パターン発生装置により、プルダウン情報累積比較装置から出力されたプルダウン情報が蓄積され、所定数のフィールド分のプルダウン情報がプルダウン情報パターンとして出力される。プルダウン情報パターン発生装置から出力されたプルダウン情報パターンは、パターン整合装置により、第１のフレーム周波数に対応する第１のプルダウン情報パターンまたは第２のフレーム周波数に対応する第２のプルダウン情報パターンと整合するか否かを判定され、判定された判定結果は不整合となって回数を計数され、第１のプルダウン情報パターンに対する計数値および第２のプルダウン情報パターンに対する計数値が第１および第２の不整合計数値として出力される。パターン整合装置から出力される第１および第２の不整合計数値は、プルダウン情報判別装置により、所定の設定値と比較され、入力されている映像信号のフレーム周波数が第１の周波数であるか第２の周波数であるかが判別される。第１のフレーム周波数に対応するプルダウン情報パターンのパルス列は、第１のパルス発生装置により、第１のリセットパルスによりリセットされ、第１のパルス列として出力される。第２のフレーム周波数に対応するプルダウン情報パターンのパルス列は、第２のパルス発生装置により、第２のリセットパルスによりリセットされ、第２のパルス列として出力される。映像識別信号検出装置により検出された映像識別信号からプルダウン情報が抽出され、抽出されたプルダウン情報の位相は、位相比較装置により、第１のパルス発生装置から出力される第１のパルス列の位相および第２のパルス発生装置から出力される第２のパルス列の位相と比較される。第１のリセットパルスは、位相比較装置により、映像識別信号検出装置により抽出されたプルダウン情報の位相と第１のパルス列の位相とが一致した場合に第１のパルス発生装置に与えられる。第２のリセットパルスは、位相比較装置により、映像識別信号検出装置により抽出されたプルダウン情報の位相と第２のパルス列の位相とが一致した場合に第２のパルス発生装置に与えられる。第１のパルス発生装置から出力される第１のパルス列または第２のパルス発生装置から出力される第２のパルス列は、切り替え装置により、プルダウン情報判別装置の判別結果に基づいてを選択的に出力される。
【００５３】
これにより、入力される映像信号に含まれる映像識別信号がプルダウン情報以外の情報を有する場合であっても、それ以前のプルダウン情報の送信シーケンスからそのシーケンスを判別し、プルダウン情報に対するシーケンスを保持できるので、シーケンスを保持した誤りのないプルダウン情報を途切れることなく得ることができる。そして、インターレース−プログレッシブ変換装置においては、常に適切なプルダウン情報が入力されるので、インターレース−プログレッシブ変換時における誤動作が低減される。
【００５４】
【発明の実施の形態】
以下、本発明の実施の形態に係る映像信号変換装置について説明する。
【００５５】
図１は、本実施の形態に係る映像信号変換装置の構成を示すブロック図である。
【００５６】
図１によれば、本実施の形態に係る映像信号変換装置１００は、入力端子１０１、出力端子１０５、ビデオ識別信号（以下、ビデオＩＤ信号と略記する。）検出装置１０２、プルダウン情報補正装置１０３およびインターレース−プログレッシブ（以下、ＩＰと略記する。）変換装置１０４を含む。
【００５７】
入力端子１０１には、映像信号ＶＳが入力される。入力端子１０１に入力された映像信号ＶＳは、後述のビデオＩＤ信号検出装置１０２の入力端子３０１およびＩＰ変換装置１０４の入力端子４０１に与えられる。
【００５８】
ビデオＩＤ信号検出装置１０２は、与えられた映像信号ＶＳより後述のビデオＩＤ信号ＶＩＤを検出し、検出したビデオＩＤ信号ＶＩＤを出力端子３０９を介してプルダウン情報補正装置１０３へ出力する。
【００５９】
プルダウン情報補正装置１０３は、与えられたビデオＩＤ信号ＶＩＤに対し所定の動作を行い、所定の動作に基づいてプルダウン情報判別信号１０Ｃおよびプルダウン情報補正信号１０Ｂを作成し、作成したそれぞれの信号をＩＰ変換装置１０４へ出力する。プルダウン情報補正装置１０３の所定の動作、プルダウン情報判別信号１０Ｃおよびプルダウン情報補正信号１０Ｂについては後述する。
【００６０】
ＩＰ変換装置１０４の入力端子４１０には、上述のプルダウン情報補正装置１０３より出力されるプルダウン情報補正信号１０Ｂが入力され、入力端子４１１には、プルダウン情報補正装置１０３より出力されるプルダウン情報判別信号１０Ｃが入力される。そして、ＩＰ変換装置１０４は、上記に示す各種信号に基づいて後述のＩＰ変換出力信号ＹＵＶを作成し、作成したＩＰ変換出力信号ＹＵＶを出力端子４１４より出力する。
【００６１】
ＩＰ変換装置１０４より出力されたＩＰ変換出力信号ＹＵＶは、さらに出力端子１０５を介して映像信号変換装置１００の外部に出力される。
【００６２】
ここで、上述のビデオＩＤ信号検出装置１０２の構成および動作について、図２および図３に基づき説明する。
【００６３】
図２は、ビデオＩＤ信号検出装置１０２の構成を示すブロック図である。図３は、ビデオＩＤ信号検出装置１０２の内部で発生する各種信号を示す波形図である。
【００６４】
まず、図３において、ビデオＩＤ信号検出装置１０２に入力される映像信号ＶＳは、ビデオＩＤ信号ＶＩＤを含む。さらに、ビデオＩＤ信号ＶＩＤは、水平同期信号ＨＳおよびカラーバースト信号ＣＢに続けてリファレンス信号ＲＥおよび識別信号ＩＮを含む。また、識別情報ＩＮは２０ビットｂ１〜ｂ２０を含む。
【００６５】
図２によれば、ビデオＩＤ信号検出装置１０２は、入力端子３０１、出力端子３０９、高周波ノイズ除去用ローパスフィルタ装置（以下、ＬＰＦと略記する。）３０２、レベルスライサ３０３、カウンタ装置３０４、コンパレータ３０５、シフトレジスタ３０６、同期分離装置３０７およびリセットパルス発生装置３０８を含む。
【００６６】
図２において、入力端子３０１に映像信号ＶＳが入力される。入力端子３０１に入力された映像信号ＶＳは、ＬＰＦ３０２および同期分離装置３０７に入力される。
【００６７】
初めに、同期分離装置３０７およびリセットパルス発生装置３０８について説明する。
【００６８】
同期分離装置３０７は、入力された映像信号ＶＳより水平同期信号および垂直同期信号を分離する。ここで、垂直同期信号および水平同期信号を同期信号３０Ｅと総称する。同期分離装置３０７は、分離した同期信号３０Ｅをリセットパルス発生装置３０８へ出力する。
【００６９】
リセットパルス発生装置３０８は、同期信号３０Ｅに基づいて、垂直ブランキング期間の２０Ｈおよび映像表示期間の２３８Ｈにおいて後述するリファレンス信号ＲＥを含めたビデオＩＤ信号ＶＩＤの２２ビット分の位置にリセットパルス３０Ｆを発生し、後述のカウンタ装置３０４およびシフトレジスタ３０６へ出力する。
【００７０】
次に、ＬＰＦ３０２、レベルスライサ３０３、カウンタ装置３０４、コンパレータ３０５およびシフトレジスタ３０６について説明する。
【００７１】
ＬＰＦ３０２は、入力された映像信号ＶＳの有する高周波ノイズを除去し、高周波ノイズを含まない映像信号３０Ａをレベルスライサ３０３へ出力する。
【００７２】
レベルスライサ３０３は、映像信号３０Ａに対し予め設定された設定レベルに基づきＮＲＺ（　Ｎｏｎ　Ｒｅｔｕｒｎ　ｔｏ　Ｚｅｒｏ）符号化を行う。これにより、映像信号３０Ａが設定レベルより低い場合に「０」となり、映像信号３０Ａが設定レベルより高い場合に「１」となるＮＲＺ信号３０Ｂがカウンタ装置３０４へ出力される。
【００７３】
カウンタ装置３０４は、リセットパルス３０Ｆによりカウント動作をリセットしつつＮＲＺ信号３０Ｂを特定のサンプリングクロックを用いてカウントすることによりノコギリ波信号３０Ｃをコンパレータ３０５へ出力する。
【００７４】
コンパレータ３０５は、ノコギリ波信号３０Ｃと予め設定されている設定値３０Ｇとを比較し、ノコギリ波信号３０Ｃのレベルが設定値３０Ｇよりも高い場合に「１」となるパルス信号３０Ｄをシフトレジスタ３０６へ出力する。
【００７５】
シフトレジスタ３０６には、リセットパルス３０Ｆに応答してパルス信号３０Ｄが１ビットずつ順に格納される。これにより、シフトレジスタ３０６は、リファレンス信号ＲＥを含む２２ビットのビデオＩＤ信号ＶＩＤを保持しつつ出力端子３０９から時系列に出力する。
【００７６】
図３に示すビデオＩＤ信号ＶＩＤの形式は、ＥＩＡＪ（日本電子工業学会）が、上記に示すＩＰ変換において、プログレッシブ方式の映像信号をインターレース方式の映像信号に変換する場合に誤動作が発生しないように規格として制定したものである。このＥＩＡＪの規格によれば、垂直ブランキング期間を利用したビデオＩＤ信号ＶＩＤの一部に特定の信号が挿入されている。
【００７７】
ここで、上記に示す識別情報ＩＮについて図４に基づき説明する。図４は、ビデオＩＤ信号ＶＩＤに含まれる識別情報ＩＮの構成を示す模式図である。
【００７８】
図４によれば、識別情報ＩＮは、２ビットｂ１，ｂ２からなる伝送形式識別情報ＷＯＲＤ０、４ビットｂ３〜ｂ６からなるヘッダ情報ＷＯＲＤ１、８ビットｂ７〜ｂ１４からなるデータ情報ＷＯＲＤ２および６ビットｂ１５〜ｂ２０からなる誤り訂正情報ＣＲＣＣにより構成されている。
【００７９】
ここで、伝送形式識別情報ＷＯＲＤ０は映像信号ＶＳの伝送形式を識別するための情報であり、ヘッダ情報ＷＯＲＤ１はデータ情報ＷＯＲＤ２の内容を指定するものである。また、データ情報ＷＯＲＤ２はヘッダ情報ＷＯＲＤ１により指定された内容を有し、誤り訂正情報ＣＲＣＣは上述の各種情報の誤りを訂正するためのＣＲＣ（巡回）符号からなる。なお、データ情報ＷＯＲＤ２に含まれる情報としては、後述のプルダウン情報等が挙げられる。
【００８０】
上記に示すＥＩＡＪの規格において、ヘッダ情報ＷＯＲＤ１のビットｂ３〜ｂ６が順に「０１１０」である場合、データ情報ＷＯＲＤ２は、ＩＰ変換時の誤動作を抑止する情報を含む。ＩＰ変換時の誤動作を抑止する情報は、ＩＰ変換時の誤動作を抑止するデータ情報ＷＯＲＤ２のビットＢ８が示すものである。
【００８１】
以下の説明において、データ情報ＷＯＲＤ２のビットＢ８が示すＩＰ変換時の誤動作を抑止する情報をプルダウン情報と呼ぶ。
【００８２】
プルダウン情報によれば、２４フィルムコマの映画または３０フィルムコマのコマーシャルの映像信号から得られるインターレース方式の映像信号を６０フィールドからなるプログレッシブ方式の映像信号に変換する場合、各フィールドに順次変換されるフィルムコマが同一か否かを判別することが可能となる。
【００８３】
ここで、２４フィルムコマの映画または３０フィルムコマのコマーシャルの映像信号から得られるインターレース方式の映像信号をプログレッシブ方式の映像信号に変換する場合の映像信号の変換方法およびプルダウン情報について図５に基づき説明する。
【００８４】
図５は、２４フィルムコマの映画および３０フィルムコマのコマーシャルの映像信号から得られるインターレース方式の映像信号をプログレッシブ方式の映像信号に変換する場合の映像信号の変換方法およびプルダウン情報を示す概念図である。
【００８５】
毎秒２４フィルムコマからなる映画の映像信号を毎秒６０フィールドからなるインターレース方式の映像信号に変換する（以下、テレシネと呼ぶ。）場合、例えば２−３プルダウンという変換方式が用いられる。２−３プルダウンによれば、２フィルムコマの映画の信号が、５フィールドのインターレース方式の映像信号に変換される。
【００８６】
図５（ａ）は、２−３プルダウンにより毎秒２４フィルムコマの映像信号から得られるインターレース方式の映像信号を毎秒６０フィールドからなるプログレッシブ方式の映像信号に変換する場合の映像信号の変換方法およびプルダウン情報を示す概念図である。
【００８７】
図５（ａ）によれば、映画の映像信号の１コマ目にあたるフィルムコマＡの映像信号は、フィールドＡ１のインターレース方式の映像信号に変換され、さらに、フィールドＡ２のインターレース方式の映像信号に変換されている。
【００８８】
映画の映像信号の２コマ目にあたるフィルムコマＢの映像信号は、初めにフィールドＢ１のインターレース方式の映像信号に変換され、次に、フィールドＢ２のインターレース方式の映像信号に変換され、再び、フィールドＢ１のインターレース方式の映像信号に変換されている。
【００８９】
以上に示すように、２−３プルダウンによれば、１つのフィルムコマから２つのフィールドへの変換動作と１つのフィルムコマから３つのフィールドへの変換動作とが繰り返される。
【００９０】
ところで、図５（ａ）によれば、インターレース方式の映像信号をプログレッシブ方式の映像信号に変換するために各フィールド間における走査線補間が示されている。
【００９１】
図５（ａ）において、破線で示される各フィールドｆｉには、フィルムコマより変換された走査線ｓｌが一本おきに並んでいる。また、一のフィールドｆｉと隣接する他のフィールドｆｉにおいて、フィルムコマより変換された走査線ｓｌは、一のフィールドｆｉにおいて変換された走査線ｓｌの位置と１本分ずれた場所に位置している。これにより、インターレース方式の映像信号をプログレッシブ方式の映像信号に変換するために一のフィールドにおいては、同一のフィルムコマより変換された隣接する他のフィールドに存在する走査線ｓｌにより走査線補間ｆｎが行われている。
【００９２】
図５（ａ）によれば、フィルムコマＡから変換されたフィールドＡ１，Ａ２間で互いに走査線補間ｆｎがなされ、フィルムコマＢから変換されたフィールドＢ１，Ｂ２間で互いに走査線補間ｆｎがなされている。
【００９３】
上記に示す各フィールド間の走査線補間動作は、ＩＰ変換時の誤動作を抑止する情報であるプルダウン情報に基づき行われる。
【００９４】
図５（ａ）によれば、各フィールドに対するプルダウン情報は、前のフィールドと同じフィルムコマから生成されたフィールドに対し「１」が、前のフィールドと異なるフィルムコマから生成されたフィールドに対し「０」が割当てられている。これにより、２−３プルダウンによるテレシネが行われる場合、プルダウン情報がフィールドごとに「０１０１１」の順で割り当てられる。
【００９５】
３０フィルムコマのコマーシャルの映像信号から得られるインターレース方式の映像信号をプログレッシブ方式の映像信号に変換する場合、１フィルムコマのコマーシャルの映像信号は２フィールドのプログレッシブ方式の映像信号に変換される。
【００９６】
図５（ｂ）は、毎秒３０フィルムコマの映像信号から得られるインターレース方式の映像信号を毎秒６０フィールドからなるプログレッシブ方式の映像信号に変換する場合の映像信号の変換方法およびプルダウン情報を示す概念図である。
【００９７】
図５（ｂ）によれば、映画の映像信号の１コマ目にあたるフィルムコマＡの映像信号は、フィールドＡ１のインターレース方式の映像信号に変換され、さらに、フィールドＡ２のインターレース方式の映像信号に変換されている。そして、このような１つのフィルムコマから２つのフィールドへの変換動作が、各フィルムコマについて繰り返されている。
【００９８】
ところで、図５（ｂ）によれば、上記に示す図５（ａ）と同様にインターレース方式の映像信号をプログレッシブ方式の映像信号に変換するために各フィールド間における走査線補間が示されている。
【００９９】
図５（ｂ）においても、図５（ａ）と同様に一のフィールドｆｉと隣接する他のフィールドｆｉにおいて、フィルムコマより変換された走査線ｓｌは、一のフィールドｆｉにおいて変換された走査線ｓｌの位置と１本分ずれた場所に位置している。これにより、インターレース方式の映像信号をプログレッシブ方式の映像信号に変換するために一のフィールドにおいて、同一のフィルムコマより変換された隣接する他のフィールドに存在する走査線ｓｌにより走査線補間ｆｎが行われている。
【０１００】
図５（ｂ）によれば、フィルムコマＡから変換されたフィールドＡ１，Ａ２間で互いに走査線補間ｆｎがなされ、フィルムコマＢから変換されたフィールドＢ１，Ｂ２間で互いに走査線補間ｆｎがなされている。
【０１０１】
この場合の走査線補間動作は、フィールドごとに「０１」の順で割り当てられたプルダウン情報に基づき行われる。
【０１０２】
順次走査（プログレッシブ）テレビジョンにおいて、２４フィルムコマの映画または３０フィルムコマのコマーシャルの映像信号から得られるインターレース方式の映像信号をプログレッシブ方式の映像信号に変換する場合、上述のような「各フィールドに順次変換されるフィルムコマが同一か否か」というプルダウン情報があると、走査線補間を適切に行うことができ品位が向上する。
【０１０３】
なお、以上に示す映像信号変換装置に入力されるビデオＩＤ信号には必ずしもプルダウン情報が含まれているとは限らず、別の情報が挟まれることがあるので、受信側の機器はその別の情報が挟まれる区間においても後述のシーケンスを保つよう配慮する必要がある。
【０１０４】
上記におけるシーケンスとは、プルダウン情報が「０１０１１」の繰り返しで送信された場合に図５（ａ）に示す２４フィルムコマから６０フィールドへの映像信号の変換を行い、プルダウン情報が「０１」の繰り返しで送信された場合に図５（ｂ）に示す３０フィルムコマから６０フィールドへの映像信号の変換を行うということを表している。
【０１０５】
次に、上述のプルダウン情報補正装置１０３の構成および動作について、図６に基づき説明する。図６は、プルダウン情報補正装置１０３の構成を示すブロック図である。
【０１０６】
図６によれば、プルダウン情報補正装置１０３は、プルダウン情報識別装置２０３、プルダウン情報パターン発生装置２１０、パターンマッチング２１１、プルダウン情報判別装置２０４、位相比較装置２０５、第１のパルス発生装置２０６、第２のパルス発生装置２０６、信号切替装置２０７およびプルダウン情報累積比較器２１３を含む。
【０１０７】
プルダウン情報識別装置２０３には、ビデオＩＤ信号検出装置１０２の出力端子３０９よりビデオＩＤ信号ＶＩＤが入力される。プルダウン情報識別装置２０３は、ビデオＩＤ信号ＶＩＤに含まれるヘッダ情報ＷＯＲＤ１の識別を行う。そして、ヘッダ情報ＷＯＲＤ１の識別内容に応じてプルダウン情報信号２０Ｂおよびプルダウン情報識別信号２０Ｋを出力する。
【０１０８】
ビデオＩＤ信号ＶＩＤが入力されたプルダウン情報識別装置２０３は、ビデオＩＤ信号ＶＩＤに含まれるヘッダ情報ＷＯＲＤ１の識別を行う。そして、プルダウン情報識別装置２０３は、ヘッダ情報ＷＯＲＤ１がプルダウン情報の存在を示す「０１１０」であると識別した場合、「１」のプルダウン情報識別信号２０Ｋをプルダウン情報パターン発生装置２１０およびプルダウン情報累積比較器２１３へ出力するとともに、データ情報ＷＯＲＤ２のビットｂ８のデータをプルダウン情報信号２０Ｂとしてプルダウン情報パターン発生装置２１０へ出力する。
【０１０９】
また、プルダウン情報識別装置２０３は、ヘッダ情報ＷＯＲＤ１がプルダウン情報の存在を示す「０１１０」以外であると識別した場合、「０」のプルダウン情報識別信号２０Ｋをプルダウン情報パターン発生装置２１０およびプルダウン情報累積比較器２１３へ出力する。
【０１１０】
プルダウン情報累積比較器２１３は、プルダウン情報識別装置２０３より入力されたプルダウン情報識別信号２０Ｋを反転し、数フィールドにわたり累積カウントする。そして、プルダウン情報累積比較器２１３は、カウント数を予め設定された設定値２０Ｏと比較し、カウント数が設定値２０Ｏより小さい場合に「１」を、また大きい場合に「０」をプルダウン情報判別信号１０Ｃとして後述のＩＰ変換装置１０４の入力端子４１１へ出力する。
【０１１１】
プルダウン情報パターン発生装置２１０は、プルダウン情報識別装置２０３よりプルダウン情報信号２０Ｂおよびプルダウン情報識別信号２０Ｋが入力されることにより以下の動作を行う。ここで、プルダウン情報パターン発生装置２１０は、１５フィールド分のプルダウン情報を蓄積することができるシフトレジスタを有する。
【０１１２】
プルダウン情報パターン発生装置２１０は、「１」のプルダウン情報識別信号２０Ｋが入力された場合、入力されてくるプルダウン情報信号２０Ｂを自己の有するシフトレジスタに過去１５フィールド分に渡り蓄積しつつ、蓄積した過去１５フィールド分のプルダウン情報のパターン（以下、プルダウン情報パターンと呼ぶ。）をプルダウン情報パターン信号２０Ｈとしてパターンマッチング装置２１１へ出力する。
【０１１３】
一方、プルダウン情報パターン発生装置２１０は、「０」のプルダウン情報識別信号２０Ｋが入力された場合、自己の有するシフトレジスタへの情報の蓄積およびプルダウン情報パターン信号２０Ｈのパターンマッチング装置２１１への出力は行わない。この場合、プルダウン情報パターン発生装置２１０はシーケンスを１つ進め、「１」のプルダウン情報識別信号２０Ｋおよび次のフィールドに関するプルダウン情報の入力を待機する。
【０１１４】
これにより、プルダウン情報パターン発生装置２１０は、プルダウン情報補正装置１０３に入力されるビデオＩＤ信号ＶＩＤにプルダウン情報が含まれない場合においても、最新のプルダウン情報パターン信号２０Ｈを自己のシフトレジスタに保持しておくことができる。
【０１１５】
ここで、上述のプルダウン情報パターン発生装置２１０に蓄積される過去１５フィールド分のプルダウン情報の必要性について説明する。
【０１１６】
プルダウン情報パターンには、上述のように図５（ａ）に示す２４フィルムコマから６０フィールドへの映像信号の変換（以下、２４Ｐと略記する。）を示すものと、図５（ｂ）に示す３０フィルムコマから６０フィールドへの映像信号の変換（以下、３０Ｐと略記する。）を示すものとが存在する。
【０１１７】
そして、２４Ｐを示すプルダウン情報パターンには、「０１０１１」の５フィールド分のデータが含まれる。また、３０Ｐを示すプルダウン情報パターンには、「０１」の２フィールド分のデータが含まれる。これらのプルダウン情報パターンは、パターンマッチング装置２１１の有する後述のプルダウン情報パターンとマッチングが行われるが、マッチングの途中で繰り返されるデータが途切れると正確なマッチングが行われない。
【０１１８】
これにより、プルダウン情報パターン発生装置２１０は、「０１０１１」の５フィールドと「０１」の２フィールドとの最小公倍数となる１０フィールド分のプルダウン情報のデータをプルダウン情報パターンとして蓄積する必要がある。そして、確実に後述のマッチングを行うには、２４Ｐの場合は「０１０１１０１０１１」のプルダウン情報パターンが、また、３０Ｐの場合は「０１０１０１０１０１」のプルダウン情報パターンが必要となる。
【０１１９】
上記によれば、プルダウン情報パターン発生装置２１０は、２４Ｐの場合「０１０１１０１０１１」のプルダウン情報パターンを確実に後述のパターンマッチング装置２１１へ出力しなければならない。しかし、プルダウン情報パターン発生装置２１０は、１０フィールド分のプルダウン情報パターンを蓄積するのみでは２４Ｐの場合の「０１０１１０１０１１」のプルダウン情報パターンを確実に後述のパターンマッチング装置２１１へ出力することができない。
【０１２０】
２４Ｐの場合のプルダウン情報パターンは５フィールドごとのプルダウン情報のデータの繰り返しであり、入力される現在のフィールドのプルダウン情報のデータが必ずしも「０１０１１０１０１１」の１番目のデータ「０」であると限らないからである。
【０１２１】
したがって、プルダウン情報パターン発生装置２１０は、入力されるプルダウン情報のデータが、２４Ｐの場合のプルダウン情報の「０１０１１」のどの場所にあっても確実に「０１０１１０１０１１」を含むことができるように１５フィールド分のプルダウン情報のデータを蓄積する。
【０１２２】
パターンマッチング装置２１１は、予め１０フィールド分の特定のプルダウン情報パターンを保持している。そこで、パターンマッチング装置２１１は、入力されるプルダウン情報パターン信号２０Ｈを自己の保持する１０フィールド分のプルダウン情報パターンとマッチングする。そして、パターンマッチング装置２１１は、マッチングの結果に基づいて得られるデータを後述の２つの確率データ信号２０Ｉ，２０Ｎとして出力する。以下に、パターンマッチング装置２１１の行うマッチング動作について説明する。
【０１２３】
パターンマッチング装置２１１には、予め２つのプルダウン情報パターンが保持されている。ここで、パターンマッチング装置２１１に保持されるプルダウン情報パターンは、上述の２４Ｐの場合のプルダウン情報パターンである「０１０１１０１０１１」および３０Ｐの場合のプルダウン情報パターンである「０１０１０１０１０１」である。
【０１２４】
初めに、パターンマッチング装置２１１は、入力される１５フィールド分のプルダウン情報パターンのうち、先頭（１フィールド目）から１０フィールド分のプルダウン情報パターンを自己の保持する２４Ｐの場合のプルダウン情報パターンである「０１０１１０１０１１」とマッチングする。
【０１２５】
次に、パターンマッチング装置２１１は、入力される１５フィールド分のプルダウン情報パターンのうち、２番目（２フィールド目）から１０フィールド分のプルダウン情報パターンを自己の保持する２４Ｐの場合のプルダウン情報パターンである「０１０１１０１０１１」とマッチングする。
【０１２６】
その後、パターンマッチング装置２１１は、上記に示すマッチング動作を３番目（３フィールド目）から１０フィールド分のプルダウン情報パターン、４番目（４フィールド目）から１０フィールド分のプルダウン情報パターン、５番目（５フィールド目）から１０フィールド分のプルダウン情報パターンのそれぞれについて行う。
【０１２７】
パターンマッチング装置２１１は、上記に示す５回のマッチング動作において、不整合であるデータの数を１回のマッチング動作ごとにカウントしている。その結果、パターンマッチング装置２１１は５つの不整合カウント数を得る。そこで、パターンマッチング装置２１１は５つの不整合カウント数の中から最小のものを２４Ｐの場合の確率データ信号２０Ｉとしてプルダウン情報判別装置２０４へ出力する。
【０１２８】
さらに、パターンマッチング装置２１１は、自己の保持する３０Ｐの場合のプルダウン情報パターンである「０１０１０１０１０１」を用いて上記に示す５回のマッチング動作を行う。その結果、パターンマッチング装置２１１は５つの不整合カウント数を得る。そこで、パターンマッチング装置２１１は５つの不整合カウント数の中から最小のものを３０Ｐの場合の確率データ信号２０Ｎとしてプルダウン情報判別装置２０４へ出力する。
【０１２９】
例えば、パターンマッチング装置２１１は、２４Ｐの場合のプルダウン情報のデータである「０１０１１０１０１１」を含む１５フィールドのプルダウン情報パターン信号２０Ｈが入力された場合、２４Ｐの場合の確率データ信号２０Ｉを「０」として出力し、３０Ｐの場合の確率データ信号２０Ｎを「５」として出力する。
【０１３０】
プルダウン情報判別装置２０４は、２つのコンパレータを有する。ここで、２つのコンパレータとは、２４Ｐプルダウン情報用コンパレータおよび３０Ｐプルダウン情報用コンパレータである。そして、２４Ｐプルダウン情報用コンパレータには予め設定値２０Ｌが、３０Ｐプルダウン情報用コンパレータには予め設定値２０Ｍが保持されている。
【０１３１】
２４Ｐプルダウン情報用コンパレータには、上述の確率データ信号２０Ｉが入力される。２４Ｐプルダウン情報用コンパレータは、入力された確率データ信号２０Ｉと自己の保持する設定値２０Ｌとを比較する。そこで、２４Ｐプルダウン情報用コンパレータは、設定値２０Ｌに対し確率データ信号２０Ｉが小さい場合に「１」を、設定値２０Ｌに対し確率データ信号２０Ｉが大きい場合に「０」を２４Ｐデータとして作成する。
【０１３２】
一方、３０Ｐプルダウン情報用コンパレータには、上述の確率データ信号２０Ｎが入力される。３０Ｐプルダウン情報用コンパレータは、入力された確率データ信号２０Ｎと自己の保持する設定値２０Ｍとを比較する。そこで、３０Ｐプルダウン情報用コンパレータは、設定値２０Ｍに対し確率データ信号２０Ｎが小さい場合に「１」を、設定値２０Ｍに対し確率データ信号２０Ｎが大きい場合に「０」を３０Ｐデータとして作成する。
【０１３３】
そして、プルダウン情報判別装置２０４は、２つのコンパレータより得られる２４Ｐデータと３０Ｐデータとの組み合わせに基づき、プルダウン情報制御信号２０Ｃの作成動作を行う。プルダウン情報制御信号２０Ｃの作成動作を以下に示す。
【０１３４】
プルダウン情報判別装置２０４は、２４Ｐデータが「１」で３０Ｐデータが「０」の場合、「１」をプルダウン情報制御信号２０Ｃとして作成する。また、２４Ｐデータが「０」で３０Ｐデータが「１」の場合、「０」をプルダウン情報制御信号２０Ｃとして作成する。さらに、プルダウン情報判別装置２０４は、２４Ｐデータが「０」で３０Ｐデータが「０」の場合、および、２４Ｐデータが「１」で３０Ｐデータが「１」の場合、１つ前の作成動作で作成したプルダウン情報制御信号２０Ｃのデータを保持する。
【０１３５】
プルダウン情報判別装置２０４は、以上に示す動作により得られたプルダウン情報制御信号２０Ｃを信号切替装置２０７へ出力する。
【０１３６】
位相比較装置２０５には、ビデオＩＤ信号ＶＩＤおよびパルス信号２０Ｄ，２０Ｅが入力される。位相比較装置２０５は、５ビットおよび２ビットのビデオＩＤ信号用シフトレジスタならびに５ビットおよび２ビットのパルス信号用シフトレジスタを有する。そこで、位相比較装置２０５は、入力された各種信号を各種シフトレジスタに格納し、それぞれを比較する。そして、後述のリセットパルス信号２０Ｇ，２０Ｆを出力する。以下、位相比較装置２０５の動作について説明する。
【０１３７】
位相比較装置２０５は、入力されたビデオＩＤ信号ＶＩＤよりプルダウン情報を抽出する。そして、位相比較装置２０５は、抽出したプルダウン情報を自己の有する５ビットのビデオＩＤ信号シフトレジスタおよび２ビットのビデオＩＤ信号用シフトレジスタに格納してゆく。
【０１３８】
ここで、位相比較装置２０５には、ビデオＩＤ信号ＶＩＤの他、第１のパルス発生装置２０６および第２のパルス発生装置２１２よりパルス信号２０Ｄ，２０Ｅが入力される。そして、位相比較装置２０５は、５ビットのパルス信号用シフトレジスタに第１のパルス発生装置２０６より得られるパルス信号２０Ｅを格納し、２ビットのパルス信号用シフトレジスタに第２のパルス発生装置２１２より得られるパルス信号２０Ｄを格納する。
【０１３９】
そこで、位相比較装置２０５は、５ビットのビデオＩＤ信号用シフトレジスタに格納されたプルダウン情報と５ビットのパルス信号用シフトレジスタに格納されたパルス信号とを比較し、さらに２ビットのビデオＩＤ信号用シフトレジスタに格納されたプルダウン情報と２ビットのパルス信号用シフトレジスタに格納されたパルス信号とを比較する。
【０１４０】
位相比較装置２０５は、５ビットのビデオＩＤ用シフトレジスタおよび５ビットのパルス信号用シフトレジスタの信号同士が一致した場合、リセットパルス信号２０Ｇを第１のパルス発生装置２０６へ出力する。また、２ビットのビデオＩＤ用シフトレジスタおよび２ビットのパルス信号用シフトレジスタの信号同士が一致した場合、リセットパルス信号２０Ｆを第２のパルス発生装置２１２へ出力する。
【０１４１】
第１のパルス発生装置２０６には、リセットパルス信号２０Ｇが入力される。リセットパルス信号２０Ｇが入力された第１のパルス発生装置２０６は、２４Ｐの場合のプルダウン情報パターンの「０１０１１」からなるパルス信号２０Ｅを５フィールド周期で繰り返し出力する。これにより、第１のパルス発生装置２０６は、最新の位相でパルス信号２０Ｅを位相比較装置２０５および信号切替装置２０７へ出力し続けることが可能となる。
【０１４２】
第２のパルス発生装置２１２には、リセットパルス信号２０Ｆが入力される。リセットパルス信号２０Ｆが入力された第２のパルス発生装置２１２は、３０Ｐの場合のプルダウン情報パターンの「０１」からなるパルス信号２０Ｄを２フィールド周期で繰り返し出力する。これにより、第２のパルス発生装置２１２は、、最新の位相でパルス信号２０Ｄを位相比較装置２０５および信号切替装置２０７へ出力し続けることが可能となる。
【０１４３】
信号切替装置２０７には、パルス信号２０Ｄ，２０Ｅおよびプルダウン情報判別装置２０４からのプルダウン情報制御信号２０Ｃが入力される。信号切替装置２０７は、入力されるプルダウン情報制御信号２０Ｃに基づいて、パルス信号２０Ｄ，２０Ｅのうち出力する信号を選択し、プルダウン情報補正信号１０ＢとしてＩＰ変換装置１０４の入力端子４１０へ出力する。以下に信号切替装置２０７の信号切替え動作について説明する。
【０１４４】
信号切替装置２０７は、制御信号として入力されるプルダウン情報制御信号２０Ｃに基づき確率の高いプルダウン情報を選択する。これにより、信号切替装置２０７は、２４Ｐ確率データが３０Ｐ確率データより高い旨を示す「１」のプルダウン情報制御信号２０Ｃが入力された場合、２４Ｐの場合のプルダウン情報パターンのパルス信号２０Ｅをプルダウン情報補正信号１０ＢとしてＩＰ変換装置１０４へ出力する。
【０１４５】
一方、信号切替装置２０７は、３０Ｐ確率データが２４Ｐ確率データより高い旨を示す「０」のプルダウン情報制御信号２０Ｃが入力された場合、３０Ｐの場合のプルダウン情報パターンのパルス信号２０Ｄをプルダウン情報補正信号１０ＢとしてＩＰ変換装置１０４へ出力する。
【０１４６】
以上に示す各構成部の動作により、プルダウン情報補正装置１０３は、ビデオＩＤ信号検出装置１０２より入力されたビデオＩＤ信号ＶＩＤがプルダウン情報を有するものか否かを判別し、入力されたビデオＩＤ信号ＶＩＤがプルダウン情報を有すると判別した場合、プルダウン情報判別信号１０Ｃを作成し、上述のＩＰ変換装置１０４へ出力する。また、プルダウン情報補正装置１０３は、入力されたビデオＩＤ信号ＶＩＤがプルダウン情報を有しないと判別した場合においても、プルダウン情報を有するビデオＩＤ信号ＶＩＤが入力された場合のシーケンスを保持しつつ、プルダウン情報補正信号１０Ｂを作成し、上述のＩＰ変換装置１０４へ出力する。
【０１４７】
最後に、ＩＰ変換装置１０４の構成および動作について、図７に基づき説明する。
【０１４８】
図７は、ＩＰ変換装置１０４の構成を示すブロック図である。図４によれば、ＩＰ変換装置１０４は、入力端子４０１，４１０，４１１、出力端子４１４、ＹＣ分離装置４０２、色復調装置４０３、第１のフィールドメモリ４０４、第２のフィールドメモリ４０５、第１の補間信号切替スイッチ４０６、第１のラインメモリ４０７、第２のラインメモリ４０８、フレーム差分判別装置４０９、第２の補間信号切替スイッチ４１３および第３の補間信号切替スイッチ４１２を含む。
【０１４９】
図７において、ＩＰ変換装置１０４は、入力端子４０１に映像信号ＶＳが入力され、入力端子４１０にプルダウン情報補正信号１０Ｂが入力され、入力端子４１１にプルダウン情報判別信号１０Ｃが入力されている。
【０１５０】
入力端子４０１より入力された映像信号ＶＳは、ＹＣ分離装置４０２に入力される。映像信号ＶＳが入力されたＹＣ分離装置４０２は、コンポジット映像信号である映像信号ＶＳを輝度信号および色信号に分離し、映像信号ＶＳより分離した輝度信号および色信号を映像信号４０Ａとして色復調装置４０３に出力する。
【０１５１】
映像信号４０Ａが入力された色復調装置４０３は、映像信号４０Ａの色信号を色差信号に復調し、ＹＵＶ方式の色差信号４０Ｂ（以下、未来フィールド信号４０Ｂと呼ぶ。）を作成する。その後、ＹＵＶ方式の未来フィールド信号４０Ｂは第１のフィールドメモリ４０４、第１の補間信号切替スイッチ４０６およびフレーム（フィールド）差分判別装置４０９に出力される。
【０１５２】
第１のフィールドメモリ４０４は、入力された未来フィールド信号４０Ｂを１フィールド期間遅延し、遅延した信号を色差信号４０Ｃ（以下、現在フィールド信号４０Ｃと呼ぶ。）として第２のフィールドメモリ４０５および第２のラインメモリ４０８へ出力する。
【０１５３】
第２のフィールドメモリ４０５は、入力された現在フィールド信号４０Ｃをさらに１フィールド期間遅延し、遅延した信号を色差信号４０Ｄ（以下、過去フィールド信号４０Ｄと呼ぶ。）として第１の補間信号切替スイッチ４０６および第２のラインメモリ４０８へ出力する。
【０１５４】
上述のように第１の補間信号切替スイッチ４０６には、色復調装置４０３より出力される未来フィールド信号４０Ｂと、第１のフィールドメモリ４０４および第２のフィールドメモリ４０５により２フィールド期間遅延されて出力される過去フィールド信号４０Ｄとが入力される。そこで、第１の補間信号切替スイッチ４０６は、後述の第３の補間信号切替スイッチ４１２より入力される制御信号４０Ｈに基づいて、未来フィールド信号４０Ｂまたは過去フィールド信号４０Ｄのうち現在フィールド信号４０Ｃに対して走査線を補間する信号を色差信号４０Ｅとして第１のラインメモリ４０７へ出力する。第１の補間信号切替スイッチ４０６の信号切替え動作の詳細については後述する。
【０１５５】
ここで、第３の補間信号切替スイッチ４１２の動作について説明する。
第３の補間信号切替スイッチ４１２には、プルダウン情報補正信号１０Ｂ、電源回路からの「１」固定の信号およびプルダウン情報判別信号１０Ｃが入力される。
【０１５６】
これにより、第３の補間信号切替スイッチ４１２は、プルダウン情報判別信号１０Ｃに基づいて、入力されるプルダウン情報補正信号１０Ｂまたは電源回路からの「１」固定の信号のいずれかを制御信号４０Ｈとして第１の補間信号切替スイッチ４０６へ出力する。この制御信号４０Ｈにより、第１の補間信号切替スイッチ４０６は、フィールドメモリにより遅延を受けない信号を出力すべきか、フィールドメモリにより遅延を受けた信号を出力すべきかが制御される。
【０１５７】
例えば、プルダウン情報判別信号１０Ｃが「１」である場合、第３の補間信号切替スイッチ４１２は、プルダウン情報補正装置１０３より入力されるプルダウン情報補正信号１０Ｂを制御信号４０Ｈとして第１の補間信号切替スイッチ４０６へ出力する。この場合、制御信号４０Ｈが入力された第１の補間信号切替スイッチ４０６は、プルダウン情報補正信号１０Ｂに基づいて、上述の未来フィールド信号４０Ｂまたは過去フィールド信号４０Ｄのいずれかの出力を選択する。
【０１５８】
また、プルダウン情報判別信号１０Ｃが「０」である場合、第３の補間信号切替スイッチ４１２は、電源回路からの「１」固定の信号を制御信号４０Ｈとして第１の補間信号切替スイッチ４０６へ出力する。この場合、第１の補間信号切替スイッチ４０６は、電源回路からの「１」固定の信号に基づいて過去フィールド信号４０Ｄの出力を選択する。
【０１５９】
第１のラインメモリ４０７には、第１の補間信号切替スイッチ４０６より入力される色差信号４０Ｅが特定のクロックで書き込まれる。そこで、第１のラインメモリ４０７は書き込まれた色差信号４０Ｅを倍のクロックで読み出し、フィールド間補間色差信号４０Ｆとして第２の補間信号切替スイッチ４１３へ出力する（倍速変換）。これにより、第１のラインメモリ４０７より出力されるフィールド間補間色差信号４０Ｆは、第１の補間信号切替スイッチ４０６より出力される色差信号４０Ｅに比べ２倍速の信号となっている。
【０１６０】
第２のラインメモリ４０８には、第１のフィールドメモリ４０４より現在フィールド信号４０Ｃが入力される。これにより、第２のラインメモリ４０８は、入力された現在フィールド信号４０Ｃに対し、上述の第１のラインメモリ４０７と同様の動作を行う。そして、第２のラインメモリ４０８は上記に示す動作により得られた信号を現在フィールド色差信号４０Ｉとして第２の補間信号切替スイッチ４１３へ出力する。
【０１６１】
フレーム差分判別装置４０９には、未来フィールド信号４０Ｂ、過去フィールド信号４０Ｄおよびプルダウン情報判別信号１０Ｃが入力される。
【０１６２】
フレーム差分判別装置４０９は、プルダウン情報判別信号１０Ｃの示す内容に応じて、入力された未来フィールド信号４０Ｂおよび過去フィールド信号４０Ｄからこれらの差分値を検出する。そして、フレーム差分判別装置４０９は差分値に対してレベル分けを行い、特定のレベルに応じてＩＰ変換装置１０４に入力される映像信号ＶＳが動画であるか静止画であるかを判別する。
【０１６３】
ここで、フレーム差分判別装置４０９は、映像信号ＶＳが動画であると判別した場合、パルスを「０」に固定した制御信号４０Ｊを第２の補間信号切替スイッチ４１３へ出力する。また、フレーム差分判別装置４０９は、映像信号ＶＳが静止画であると判別した場合、水平走査期間１Ｈの周期ごとに「０」「１」をトグルする。これにより、「０」「１」の繰り返しのパルスが、制御信号４０Ｊとして第２の補間信号切替スイッチ４１３へ出力される。
【０１６４】
さらに、フレーム差分判別装置４０９は、入力端子４１１よりプルダウン情報判別信号１０Ｃが入力された場合、上述のパルスを映像信号ＶＳが静止画であると判別した場合の状態に保持し、制御信号４０Ｊを第２の補間信号切替スイッチ４１３へ出力する。
【０１６５】
第２の補間信号切替スイッチ４１３には、フィールド間補間色差信号４０Ｆおよび現在フィールド色差信号４０Ｉが入力されるとともに、制御信号４０Ｊが入力される。ここで、制御信号４０Ｊは走査線補間をフィールド間で行うか、または、フィード内で行うかを示す信号である。
【０１６６】
これにより、第２の補間信号切替スイッチ４１３は、フレーム差分判別装置４０９より出力される制御信号４０Ｊに基づき出力する信号ＹＵＶを切替える。
【０１６７】
以下に、第２の補間信号切替スイッチ４１３の動作および第２の補間信号切替スイッチ４１３に入力される制御信号４０Ｊの詳細について説明する。
【０１６８】
例えば、フレーム差分判別装置４０９は、プルダウン情報判別信号１０Ｃの「１」の入力により、「０」と「１」とを繰り返す制御信号４０Ｊを第２の補間信号切替スイッチ４１３へ出力する。この場合の、「０」と「１」とを繰り返す制御信号４０Ｊの状態を「静止画モード」と呼ぶ。
【０１６９】
静止画モードの制御信号４０Ｊが入力された第２の補間信号切替スイッチ４１３は、現在フィールド色差信号４０Ｉと、第１の補間信号切替スイッチ４０６により選択された未来フィールド信号４０Ｂまたは過去フィールド信号４０Ｄのいずれかよりなるフィールド間補間色差信号４０Ｆとを水平走査期間１Ｈの周期ごとに出力する。これにより、フィールド間での走査線補間が行われる。
【０１７０】
上記に示す動作を図５（ｂ）を用いて説明すると、例えば、現在フィールド信号４０ＣをＡ２とした場合、過去フィールド信号４０ＤはＡ１、未来フィールド信号４０ＢはＢ１となる。
【０１７１】
図５（ｂ）によれば、現在フィールド信号４０ＣのＡ２におけるプルダウン情報は「１」が示されている。プルダウン情報「１」が入力された第１の補間信号切替スイッチ４０６は過去フィールド信号４０Ｄである信号４０Ｄを選択する。これにより、図５（ｂ）に示すように、過去フィールド信号４０ＤのＡ２と現在フィールド信号４０ＣのＡ１との間で走査線補間が行われる。
【０１７２】
一方、フレーム差分判別装置４０９は、プルダウン情報判別信号１０Ｃの「０」の入力により、入力された未来フィールド信号４０Ｂおよび過去フィールド信号４０Ｄに基づいて、映像信号ＶＳが動画であるか静止画であるかについての判別動作を行う。
【０１７３】
フレーム差分判別装置４０９が、入力される未来フィールド信号４０Ｂおよび過去フィールド信号４０Ｄのフレーム間の差分値が小さく、現在入力されている映像信号ＶＳは静止画であると判別した場合、第２の補間信号切替スイッチ４１３においては、「１」のプルダウン情報判別信号１０Ｃが入力された場合と同様の切替え動作によりフィールド間での走査線補間が行われる。この場合において、第３の補間信号切替スイッチ４１２には、プルダウン情報判別信号１０Ｃが「０」として入力されているので、第３の補間信号切替スイッチ４１２の出力する制御信号４０Ｈは「１」で固定される。このため、フィールド間での走査線補間は、過去フィールド信号４０Ｄにより行われる。
【０１７４】
フレーム差分判別装置４０９は、信号４０Ｂ，４０Ｄのフレーム間の差分値が大きく、現在入力されている映像信号ＶＳは動画であると判別した場合、制御信号４０Ｊを「０」として第２の補間信号切替スイッチ４１３へ出力する。制御信号４０Ｊの「０」が入力された第２の補間信号切替スイッチ４１３は、切替え動作を行わず現在フィールド信号４０Ｃでのフィールド内走査線補間を行う。
【０１７５】
以上に示すように、第２の補間信号切替スイッチ４１３は、入力される制御信号４０Ｊの内容に基づいて各種走査線補間を行い映像信号ＶＳのＩＰ変換を行っている。
【０１７６】
本実施の形態に係る映像信号変換装置１００によれば、入力される映像信号ＶＳに含まれるビデオＩＤ信号ＶＩＤがプルダウン情報以外の情報を有する場合であっても、プルダウン情報に対するシーケンスを保持しつつプルダウン情報補正信号を出力するプルダウン情報補正装置を設けることにより、ＩＰ変換装置での誤動作が低減される。
【０１７７】
本実施の形態において、映像信号変換装置１００に入力される映像信号ＶＳはコンポジット信号を想定しているが、映像信号変換装置１００に入力される信号が、輝度信号および色信号である場合にはＹＣ分離装置４０２は必要でない。さらに、映像信号変換装置１００に入力される信号が色差信号の場合には、色復調装置４０３は必要でない。
【０１７８】
本実施の形態に係る映像信号変換装置１００の備えるプルダウン情報補正装置１０３は、入力される信号の最新の位相を保持したり、入力された過去のフィールドに関するデータからプルダウン情報を判別したりする機能を有する。これにより、プルダウン情報補正装置１０３はＩＰ変換装置１０４に適切なプルダウン情報を出力することが可能でありＩＰ変換装置１０４における誤動作が低減される。
【０１７９】
本実施の形態においては、ビデオＩＤ信号検出装置１０２およびプルダウン情報補正装置１０３が映像識別信号処理装置に相当する。また、本実施の形態においては、ビデオＩＤ信号が映像識別信号に相当し、ビデオＩＤ信号検出装置１０２が映像信号検出装置に相当し、パターンマッチング装置２１１がパターン整合装置に相当し、信号切替装置２０７が切り替え装置に相当する。さらに、本実施の形態においては、２４Ｐの場合のプルダウン情報パターン「０１０１１」が第１のプルダウン情報パターンに相当し、３０Ｐの場合のプルダウン情報パターン「０１」が第２のプルダウン情報パターンに相当する。
【０１８０】
【発明の効果】
本発明に係る映像識別信号処理装置においては、映像識別信号検出装置によりインターレース方式の映像信号から映像識別信号が検出され、プルダウン情報補正装置により、映像識別信号から現フィールドがどのフレームから生成されたかを示すプルダウン情報が抽出され、プルダウン情報間に別の情報が存在するか否かにかかわらず抽出されたプルダウン情報のシーケンスを保持しつつプルダウン情報が出力され、現在入力されている映像識別信号がプルダウン情報か否かを示すプルダウン情報識別信号が出力される。
【０１８１】
本発明に係る映像識別信号処理装置によれば、入力される映像信号に含まれる映像識別信号がプルダウン情報以外の情報を有する場合であっても、プルダウン情報に対するシーケンスを保持できるので、誤りのないプルダウン情報を途切れることなく得ることができる。
【図面の簡単な説明】
【図１】本実施の形態に係る映像信号変換装置の構成を示すブロック図
【図２】ビデオＩＤ信号検出装置の構成を示すブロック図
【図３】ビデオＩＤ信号検出装置の内部で発生する各種信号を示す波形図
【図４】ビデオＩＤ信号に含まれる識別情報の構成を示す模式図
【図５】２４フィルムコマの映画および３０フィルムコマのコマーシャルの映像信号をプログレッシブ方式の映像信号に変換する場合の映像信号の変換方法およびプルダウン情報を示す概念図
【図６】プルダウン情報補正装置の構成を示すブロック図
【図７】ＩＰ変換装置の構成を示すブロック図
【図８】ＥＩＡＪの規格に対応するビデオＩＤ信号の構成を示す模式図
【図９】図８に示す識別情報ＩＮの詳細を示す模式図
【図１０】２４フィルムコマの映画および３０フィルムコマのコマーシャルの映像信号をプログレッシブ方式の映像信号に変換する場合の映像信号の変換方法およびプルダウン情報を示す概念図
【図１１】従来におけるビデオＩＤ信号を検出可能な信号判別装置の構成を示すブロック図
【符号の説明】
１００　映像信号変換装置
１０２　ビデオＩＤ信号検出装置
１０３　プルダウン情報補正装置
１０４　ＩＰ変換装置
ＶＳ　映像信号
ＶＩＤ　ビデオＩＤ信号
３０２　ＬＰＦ
２０３　プルダウン情報識別装置
２０４　プルダウン情報判別装置
２０５　位相比較装置
２０６　第１のパルス発生装置
２０７　信号切替装置
２１０　プルダウン情報パターン発生装置
２１１　パターンマッチング装置
２１２　第２のパルス発生装置
２１３　プルダウン情報累積比較器
【図１】
2004007290.tif 000003
【図２】
2004007290.tif 000004
【図３】
2004007290.tif 000005
【図４】
2004007290.tif 000006
【図５】
2004007290.tif 000007
【図６】
2004007290.tif 000008
【図７】
2004007290.tif 000009
【図８】
2004007290.tif 000010
【図９】
2004007290.tif 000011
【図１０】
2004007290.tif 000012
【図１１】
2004007290.tif 000013